(57)【要約】【課題】フロントキャビネットとリアキャビネットとの接合強度を確保しつつ、組立て時間や部品点数を極力抑えることができる薄型表示装置の組付け構造を提供する。【解決手段】フロントキャビネット１２ａの側面１２ａ１、１２ａ２およびリアキャビネット１２ｂの側面１２ｂ１、１２ｂ２においてはネジ締めに替えて所定の角度を持った突出部１３ａ１、１３ｂ１、１３ｃ１、１３ｄ１を同じ所定の角度を持ったガイド１４ａ１、１４ｂ１、１４ｃ１、１４ｄ１に沿って摺動させながらガイド１４ａ１〜ｄ１に挿入することによりフロントキャビネット１２ａとリアキャビネット１２ｂとが一体的に組み付けられる。組み付けられた後には突出部１３ａ１〜ｄ１はガイド１４ａ１〜ｄ１に沿う方向へしか摺動させられないことから、フロントキャビネット１２ａとリアキャビネット１２ｂとの相対位置は液晶パネル１１ａの表示面１１ａ１垂直方向へずれることが無い。【選択図】図１
2008258750.tif 000002
【特許請求の範囲】
【請求項１】
薄型表示パネルを収納するようにフロントキャビネットとリアキャビネットとから構成される筐体を具備する薄型テレビジョンにおいて、
上記リアキャビネットの側面両側には、
同側面両側のそれぞれから上記フロントキャビネットに向かって所定長だけ延設する複数の基部が設けられると共に、
上記フロントキャビネットの側面内側には、
上記基部とそれぞれ係合するための係合部が設けられており、
上記基部には、
上記フロントキャビネットに向かって延設する方向と略直交する外側方向に所定長だけ突出する突出部が上記薄型表示パネルの表示面垂直方向に対して所定の角度且つ所定の長さで形成され、
上記係合部には、
上記フロントキャビネットに上記リアキャビネットを組み付ける際に上記突出部を摺動させるためのガイドが上記所定の角度且つ所定の長さで上記側面内側から側面垂直方向内側に向かって所定長だけ突出する平行な２つのガイド用突出部により上記所定の角度でそれぞれ形成され、
上記突出部および上記ガイドの形状は、
同突出部が同ガイドに挿入される程同突出部と同ガイドとの隙間が狭くなるくさび形構造とされ、
一方、
上記リアキャビネットの上面には、
同上面から上記フロントキャビネットに向かって所定長だけ延設して複数の嵌合孔部を有する嵌合基部が設けられると共に、
上記フロントキャビネットの上面内側には、
上記複数の嵌合孔部とそれぞれ嵌合するための複数の嵌合爪部がそれぞれ形成され、
上記フロントキャビネットの底面には、
複数のネジ孔が形成されると共に、
上記リアキャビネットの底面には、
上記ネジ孔に対応する複数のネジ挿通孔がそれぞれ形成され、
上記筐体は、上記突出部を上記ガイドに沿って摺動させながら同ガイドに挿入し、且つ上記嵌合孔部と上記嵌合爪部とを嵌合することにより上記フロントキャビネットと上記リアキャビネットとが一体的に組み合わされ、同一体的に組み合わされた状態において、上記ネジ挿通孔に固定ネジを挿通し且つ上記ネジ孔に螺入して底面をネジ締めにより接合することにより、組み立てられることを特徴とする薄型テレビジョン。
【請求項２】
薄型表示パネルを収納するようにフロントキャビネットとリアキャビネットとから構成される筐体を組み立てる薄型表示装置の組付け構造において、
上記フロントキャビネットおよび上記リアキャビネットの何れか一方のキャビネットの側面両側には、同側面両側から他方のキャビネットに向かって所定長だけ延設する複数の基部が設けられていると共に、
他方のキャビネットの側面内側には、上記基部と係合するための係合部が設けられており、
上記基部および上記係合部の何れか一方の部位には、突出部が形成され、
上記基部および上記係合部の何れか他方の部位には、上記突出部を摺動させるためのガイドが上記薄型表示パネルの表示面垂直方向に対して所定の角度で形成され、
上記筐体は、上記突出部を上記ガイドに沿って摺動させながら同ガイドに挿入することにより上記フロントキャビネットと上記リアキャビネットとが一体的に組み付けられることを特徴とする薄型表示装置の組付け構造。
【請求項３】
上記ガイドの形状は、同突出部が同ガイドに挿入されるほど同突出部と同ガイドとの隙間が狭くなるくさび形構造とされていることを特徴とする請求項２に記載の薄型表示装置の組付け構造。
【請求項４】
上記突出部は、
上記係合部に同係合部の垂直方向内側に向かって所定長だけ突出して形成され、
上記ガイドは、
上記基部に上記所定の角度且つ所定の長さで同基部の垂直方向外側に向かって所定長だけ突出する平行な２つのガイド用突出部により上記所定の角度でそれぞれ形成されていることを特徴とする請求項２または３に記載の薄型表示装置の組付け構造。
【請求項５】
上記突出部は、
柱状の突起であることを特徴とする請求項２乃至４の何れかに記載の薄型表示装置の組付け構造。
【請求項６】
上記フロントキャビネットおよび上記リアキャビネットの何れか一方のキャビネットには、同一方のキャビネットの上記側面と直交する上面および底面の一方の面に複数の嵌合部が形成されていると共に、
他方のキャビネットの上面および底面の一方の面には、上記フロントキャビネットと上記リアキャビネットとが一体的に組み付けられる際に上記嵌合部と嵌合するための被嵌合部が形成されていることを特徴とする請求項２乃至５の何れかに記載の薄型表示装置の組付け構造。
【請求項７】
上記嵌合部は、
長方形状の孔である複数の嵌合孔部であり、
上記一方のキャビネットの上記一方の面から上記他方のキャビネットャビネットに向かって所定長だけ延設して設けられた嵌合基部に形成され、
上記被嵌合部は、
上記複数の嵌合孔部とそれぞれ嵌合するための先端くさび形の直方体状の突起である複数の嵌合爪部であることを特徴とする請求項６に記載の薄型表示装置の組付け構造。
【請求項８】
上記フロントキャビネットと上記リアキャビネットとが一体的に組み付けられる際に嵌合されない上記上面および底面の他方の面は、ネジ締めにより接合されることを特徴とする請求項６または７に記載の薄型表示装置の組付け構造。
【請求項９】
上記フロントキャビネットおよび上記リアキャビネットの底面が嵌合により接合されると共に、
上記フロントキャビネットおよび上記リアキャビネットの上面がネジ締めにより接合されるように構成され、
上記所定の角度は、
上記突出部を上記ガイドに沿って摺動させながら同ガイドに挿入していく際に、上記リアキャビネットの底面が上記フロントキャビネットの上面側から底面に向かって接近するように付けられていることを特徴とする請求項６乃至８の何れかに記載の薄型表示装置の組付け構造。
【発明の詳細な説明】
【技術分野】
【０００１】
本発明は、薄型表示装置の組付け構造、および薄型テレビジョンに係り、特に、薄型表示パネルを収納する筐体の組み立てに関する薄型表示装置の組付け構造、その薄型表示装置の組付け構造を使用した薄型テレビジョンに関する。
【背景技術】
【０００２】
薄型テレビジョンにおいて、図４に示すように、薄型表示パネルモジュール１等を収納するようにフロントキャビネット２ａとリアキャビネット２ｂとから構成される筐体２が組み立てられる。例えば、フロントキャビネット２ａには、複数のネジ孔３が形成されている。また、リアキャビネット２ｂには、上記ネジ孔に対応する複数のネジ挿通孔４が形成されている。そして、薄型表示パネルモジュール１等を固定且つ収納しつつ、フロントキャビネット２ａとリアキャビネット２ｂとを組み合わせた状態で、リアキャビネット２ｂのネジ挿通孔４に固定ネジを挿通し、フロントキャビネット２ａのネジ孔３に螺入することにより、筐体２を組み立てる。
【０００３】
このように、フロントキャビネット２ａにリアキャビネット２ｂを取り付ける為に多数のネジが用いられている。そのため、筐体の組立性の悪化やコストアップ等の問題を生じる要因となる可能性があった。
【０００４】
上記問題点に対して、ネジ止めの一部を例えばつめと孔部との嵌め合わせに替えるなどしてネジの使用を抑制することが種々提案されている。
【０００５】
例えば、特許文献１には、フロントキャビネットの嵌合部をリアキャビネットの被嵌合部側へ略凸状に延出して延出部を設け、この延出部の両側部にスライドガイドを形成する一方、リアキャビネットの被嵌合部を延出部の外形に適合する略凹状に形成し、この被嵌合部の両内側部にスライドガイドを摺動させるガイドレールを設けたキャビネットの結合構造が開示されている。
【０００６】
また、特許文献２には、トレイシャーシの底部の左右二箇所に形成された嵌合爪を支えとして、トレイシャーシを底面の内側上にてフロントキャビネットに向かってスライド移動させ、このスライド移動に伴い、嵌合爪が嵌合孔の形成された位置まで到達した際に、嵌合爪と嵌合孔とを嵌合させるようにしたトレイシャーシとフロントキャビネットとの結合構造が開示されている。
【０００７】
また、特許文献３には、フロントキャビネットに上面に被係合部を形成すると共に、フロントキャビネットの被係合部と対応するリアキャビネットに上面に係合部を形成して、キャビネットの組立工程においてキャビネットを組み合わせた際、キャビネットの上面が係合部と被係合部とによって係止されるようにしたキャビネットの結合構造が開示されている。
【特許文献１】実用新案登録第３０２１５３６号公報
【特許文献２】実用新案登録第３１００１２２号公報
【特許文献３】特開平９−６５２５０号公報
【発明の開示】
【発明が解決しようとする課題】
【０００８】
しかしながら、フロントキャビネットとリアキャビネットとを嵌合（係合）する部分では、薄型表示パネルの表示面垂直方向に対してガタツキが生じたり、接合強度不足となる可能性があった。つまり、ネジ止めを抑制することで組立て時間や部品点数を抑えることができる反面、フロントキャビネットとリアキャビネットとの接合強度が低下する可能性があった。このように、組立て時間や部品点数の抑制と接合強度の確保とを両立させることについて未だ提案されていない。
【０００９】
本発明は上記課題に鑑みて為されたもので、その目的とするところは、フロントキャビネットとリアキャビネットとの接合強度を確保しつつ、組立て時間や部品点数を極力抑えることができる薄型表示装置の組付け構造、およびその薄型表示装置の組付け構造を使用した薄型テレビジョンを提供することにある。
【課題を解決するための手段】
【００１０】
上記目的を達成するための請求項１に記載の発明は、薄型表示パネルを収納するようにフロントキャビネットとリアキャビネットとから構成される筐体を具備する薄型テレビジョンにおいて、上記リアキャビネットの側面両側には、同側面両側のそれぞれから上記フロントキャビネットに向かって所定長だけ延設する複数の基部が設けられると共に、上記フロントキャビネットの側面内側には、上記基部とそれぞれ係合するための係合部が設けられており、上記基部には、上記フロントキャビネットに向かって延設する方向と略直交する外側方向に所定長だけ突出する突出部が上記薄型表示パネルの表示面垂直方向に対して所定の角度且つ所定の長さで形成され、係合部には、上記フロントキャビネットに上記リアキャビネットを組み付ける際に上記突出部を摺動させるためのガイドが上記所定の角度且つ所定の長さで上記側面内側から側面垂直方向内側に向かって所定長だけ突出する平行な２つのガイド用突出部により上記所定の角度でそれぞれ形成され、上記突出部および上記ガイドの形状は、上記フロントキャビネットに上記リアキャビネットが一体的に組み付けられた後のガタツキが抑制されるように、同突出部が同ガイドに挿入される程同突出部と同ガイドとの隙間が狭くなるくさび形構造とされ、一方、上記リアキャビネットの上面には、同上面から上記フロントキャビネットに向かって所定長だけ延設して複数の嵌合孔部を有する嵌合基部が設けられると共に、上記フロントキャビネットの上面内側には、上記複数の嵌合孔部とそれぞれ嵌合するための複数の嵌合爪部がそれぞれ形成され、  上記フロントキャビネットの底面には、複数のネジ孔が形成されると共に、上記リアキャビネットの底面には、上記ネジ孔に対応する複数のネジ挿通孔がそれぞれ形成され、上記筐体は、上記突出部を上記ガイドに沿って摺動させながら同ガイドに挿入し、且つ上記嵌合孔部と上記嵌合爪部とを嵌合することにより上記フロントキャビネットと上記リアキャビネットとが一体的に組み合わされ、同一体的に組み合わされた状態において、上記ネジ挿通孔に固定ネジを挿通し且つ上記ネジ孔に螺入して底面をネジ締めにより接合することにより、組み立てられることにある。
【００１１】
要するに、本発明の薄型テレビジョンは、薄型表示パネルを収納するようにフロントキャビネットとリアキャビネットとから構成される筐体を具備する。
【００１２】
上記したリアキャビネットの側面両側には、同側面両側のそれぞれから上記フロントキャビネットに向かって所定長だけ延設する複数の基部が設けられると共に、上記フロントキャビネットの側面内側には、上記基部とそれぞれ係合するための係合部が設けられる。
【００１３】
上記基部には、上記フロントキャビネットに向かって延設する方向と略直交する外側方向に所定長だけ突出する突出部が上記薄型表示パネルの表示面垂直方向に対して所定の角度且つ所定の長さで形成されると共に、上記係合部には、上記フロントキャビネットに上記リアキャビネットを組み付ける際に上記突出部を摺動させるためのガイドが上記所定の角度且つ所定の長さで上記側面内側から側面垂直方向内側に向かって所定長だけ突出する平行な２つのガイド用突出部により上記所定の角度でそれぞれ形成され、上記突出部および上記ガイドの形状は、上記フロントキャビネットに上記リアキャビネットが一体的に組み付けられた後のガタツキが抑制されるように、同突出部が同ガイドに挿入される程同突出部と同ガイドとの隙間が狭くなるくさび形構造とされる。
【００１４】
また、上記リアキャビネットの上面には、その上面におけるネジ締めを抑制するために、同上面から上記フロントキャビネットに向かって所定長だけ延設して複数の嵌合孔部を有する嵌合基部が設けられると共に、上記フロントキャビネットの上面内側には、上記複数の嵌合孔部とそれぞれ嵌合するための複数の嵌合爪部がそれぞれ形成される。
【００１５】
また、上記フロントキャビネットの底面には、その底面のみネジ締めにより接合されることで例えば薄型テレビジョンのメンテナンス時に上記フロントキャビネットと上記リアキャビネットとを容易に分離できるように、複数のネジ孔が形成されると共に、上記リアキャビネットの底面には、上記ネジ孔に対応する複数のネジ挿通孔がそれぞれ形成される。
【００１６】
そして、上記筐体は、上記突出部を上記ガイドに沿って摺動させながら同ガイドに挿入し、且つ上記嵌合孔部と上記嵌合爪部とを嵌合することにより上記フロントキャビネットと上記リアキャビネットとが一体的に組み合わされ、同一体的に組み合わされた状態において、上記ネジ挿通孔に固定ネジを挿通し且つ上記ネジ孔に螺入して底面をネジ締めにより接合することにより、組み立てられる。上記フロントキャビネットと上記リアキャビネットとが一体的に組み合された後には、上記突出部は上記ガイドに沿う方向へしか摺動させられないことから、上記フロントキャビネットと上記リアキャビネットとの相対位置は上記薄型表示パネルの表示面垂直方向へずれることが抑制されるので、底面のみネジ締めをすれば側面および上面においてネジ締めをしなくとも、フロントキャビネットとリアキャビネットとが離れることが抑制される。
【００１７】
また、前記目的を達成するための請求項２に記載の発明は、薄型表示パネルを収納するようにフロントキャビネットとリアキャビネットとから構成される筐体を組み立てる薄型表示装置の組付け構造において、上記フロントキャビネットおよび上記リアキャビネットの何れか一方のキャビネットの側面両側には、同側面両側から他方のキャビネットに向かって所定長だけ延設する複数の基部が設けられていると共に、他方のキャビネットの側面内側には、上記基部と係合するための係合部が設けられており、上記基部および上記係合部の何れか一方の部位には、突出部が形成され、上記基部および上記係合部の何れか他方の部位には、上記突出部を摺動させるためのガイドが上記薄型表示パネルの表示面垂直方向に対して所定の角度で形成され、上記筐体は、上記突出部を上記ガイドに沿って摺動させながら同ガイドに挿入することにより上記フロントキャビネットと上記リアキャビネットとが一体的に組み付けられることにある。
【００１８】
要するに、本発明の薄型表示装置の組付け構造は、薄型表示パネルを収納するようにフロントキャビネットとリアキャビネットとから構成される筐体を組み立てるためのものである。上記フロントキャビネットおよび上記リアキャビネットの何れか一方のキャビネットの側面両側には、同側面両側から他方のキャビネットに向かって所定長だけ延設する複数の基部が設けられていると共に、他方のキャビネットの側面内側には、上記基部と係合するための係合部が設けられている。また、上記基部および上記係合部の何れか一方の部位には、突出部が形成され、上記基部および上記係合部の何れか他方の部位には、上記突出部を摺動させるためのガイドが上記薄型表示パネルの表示面垂直方向に対して所定の角度で形成されている。そして、上記筐体は、上記突出部を上記ガイドに沿って摺動させながら同ガイドに挿入することにより上記フロントキャビネットと上記リアキャビネットとが一体的に組み付けられる。上記フロントキャビネットと上記リアキャビネットとが一体的に組み付けられた後には、上記突出部は上記ガイドに沿う方向へしか摺動させられないことから、上記フロントキャビネットと上記リアキャビネットとの相対位置は上記薄型表示パネルの表示面垂直方向へずれることが抑制される。
【００１９】
また、請求項３に記載の発明は、請求項２に記載の薄型表示装置の組付け構造において、上記ガイドの形状は、同突出部が同ガイドに挿入されるほど同突出部と同ガイドとの隙間が狭くなるくさび形構造とされていることにある。
【００２０】
要するに、請求項２に記載の薄型表示装置の組付け構造において、上記ガイドの形状は、上記フロントキャビネットと上記リアキャビネットとが組み付けられた後のガタツキが抑制されるように、同突出部が同ガイドに挿入されるほど同突出部と同ガイドとの隙間が狭くなるくさび形構造とされている。
【００２１】
また、請求項４に記載の発明は、請求項２または３に記載の薄型表示装置の組付け構造において、上記突出部は、上記係合部に同係合部の垂直方向内側に向かって所定長だけ突出して形成され、上記ガイドは、上記基部に上記所定の角度且つ所定の長さで同基部の垂直方向外側に向かって所定長だけ突出する平行な２つのガイド用突出部により上記所定の角度でそれぞれ形成されていることにある。
【００２２】
要するに、請求項２または３に記載の薄型表示装置の組付け構造において、上記突出部は、上記係合部に同係合部の垂直方向内側に向かって所定長だけ突出して形成されている。また、上記ガイドは、上記基部に上記所定の角度且つ所定の長さで同基部の垂直方向外側に向かって所定長だけ突出する平行な２つのガイド用突出部により上記所定の角度でそれぞれ形成されている。
【００２３】
また、請求項５に記載の発明は、請求項２乃至４の何れかに記載の薄型表示装置の組付け構造において、上記突出部は、柱状の突起であることにある。
【００２４】
要するに、請求項２乃至４の何れかに記載の薄型表示装置の組付け構造において、上記突出部は柱状の突起により形成されている。
【００２５】
また、請求項６に記載の発明は、請求項２乃至５の何れかに記載の薄型表示装置の組付け構造において、上記フロントキャビネットおよび上記リアキャビネットの何れか一方のキャビネットには、同一方のキャビネットの上記側面と直交する上面および底面の一方の面に複数の嵌合部が形成されていると共に、他方のキャビネットの上面および底面の一方の面には、上記フロントキャビネットと上記リアキャビネットとが一体的に組み付けられる際に上記嵌合部と嵌合するための被嵌合部が形成されていることにある。
【００２６】
要するに、請求項２乃至５の何れかに記載の薄型表示装置の組付け構造において、上記フロントキャビネットおよび上記リアキャビネットの上記側面と直交する上面および底面の一方の面におけるネジ締めを抑制するために、上記フロントキャビネットおよび上記リアキャビネットの何れか一方のキャビネットには、同一方のキャビネットの上記側面と直交する上面および底面の一方の面に複数の嵌合部が形成されると共に、他方のキャビネットの上面および底面の一方の面には、上記フロントキャビネットと上記リアキャビネットとが一体的に組み付けられる際に上記嵌合部と嵌合するための被嵌合部が形成されている。
【００２７】
また、請求項７に記載の発明は、請求項６に記載の薄型表示装置の組付け構造において、上記嵌合部は、長方形状の孔である複数の嵌合孔部であり、上記一方のキャビネットの上記一方の面から上記他方のキャビネットャビネットに向かって所定長だけ延設して設けられた嵌合基部に形成され、上記被嵌合部は、上記複数の嵌合孔部とそれぞれ嵌合するための先端くさび形の直方体状の突起である複数の嵌合爪部であることにある。
【００２８】
要するに、請求項６に記載の薄型表示装置の組付け構造において、上記一方のキャビネットの上記一方の面から上記他方のキャビネットャビネットに向かって所定長だけ延設して嵌合基部が設けられる。そして、上記嵌合部はこの嵌合基部に形成された長方形状の孔である複数の嵌合孔部である。また、上記被嵌合部は上記複数の嵌合孔部とそれぞれ嵌合するための先端くさび形の直方体状の突起である複数の嵌合爪部である。
【００２９】
また、請求項８に記載の発明は、請求項６または７に記載の薄型表示装置の組付け構造において、上記フロントキャビネットと上記リアキャビネットとが一体的に組み付けられる際に嵌合されない上記上面および底面の他方の面は、ネジ締めにより接合されることにある。
【００３０】
要するに、請求項６または７に記載の薄型表示装置の組付け構造において、例えば薄型表示装置のメンテナンス時に上記フロントキャビネットと上記リアキャビネットとを容易に分離できるように、上記フロントキャビネットと上記リアキャビネットとが一体的に組み付けられる際に嵌合されない上記上面および底面の他方の面は、ネジ締めにより接合される。
【００３１】
また、請求項９に記載の発明は、請求項６乃至８の何れかに記載の薄型表示装置の組付け構造において、上記フロントキャビネットおよび上記リアキャビネットの底面が嵌合により接合されると共に、上記フロントキャビネットおよび上記リアキャビネットの上面がネジ締めにより接合されるように構成され、上記所定の角度は、上記突出部を上記ガイドに沿って摺動させながら同ガイドに挿入していく際に、上記リアキャビネットの底面が上記フロントキャビネットの上面側から底面に向かって接近するように付けられていることにある。
【００３２】
要するに、請求項６乃至８の何れかに記載の薄型表示装置の組付け構造において、上記フロントキャビネットおよび上記リアキャビネットの底面が嵌合により接合される。また、上記フロントキャビネットおよび上記リアキャビネットの上面がネジ締めにより接合される。そして、上記所定の角度は、上記突出部を上記ガイドに沿って摺動させながら同ガイドに挿入していく際に、上記リアキャビネットの底面が上記フロントキャビネットの上面側から底面に向かって接近するように付けられている。
【発明の効果】
【００３３】
以上説明したように、請求項１に記載の発明によれば、フロントキャビネットおよびリアキャビネットの側面においてはネジ締めに替えて上記突出部を上記ガイドに沿って摺動させながら同ガイドに挿入し、且つ上面においてはネジ締めに替えて嵌合することにより、上記フロントキャビネットと上記リアキャビネットとが一体的に組み合され、この組み合された後には上記突出部は上記ガイドに沿う方向へしか摺動させられないことから、フロントキャビネットとリアキャビネットとの接合強度を確保しつつ、薄型テレビジョンの組立て時間や部品点数を極力抑えて組立作業の高効率化（コストダウン）を図ることができる。
【００３４】
また、上記突出部および上記ガイドの形状はくさび形構造とされているので、上記フロントキャビネットと上記リアキャビネットとが組み付けられた後のガタツキが一層抑制される。
【００３５】
また、上記フロントキャビネットと上記リアキャビネットとが一体的に組み付けられる際に底面は嵌合ではなくネジ締めにより接合されることから、上面に加えて底面も嵌合により接合されることに比較して、例えば薄型テレビジョンのメンテナンス時に上記フロントキャビネットと上記リアキャビネットとを容易に分離することが可能になる。
【００３６】
また、請求項２に記載の発明によれば、フロントキャビネットおよびリアキャビネットの側面においてはネジ締めに替えて上記突出部を上記ガイドに沿って摺動させながら同ガイドに挿入することにより上記フロントキャビネットと上記リアキャビネットとが一体的に組み付けられ、更に組み付けられた後には上記突出部は上記ガイドに沿う方向へしか摺動させられないことから、フロントキャビネットとリアキャビネットとの接合強度を確保しつつ、薄型表示装置の組立て時間や部品点数を極力抑えて組立作業の高効率化（コストダウン）を図ることができる。
【００３７】
また、請求項３に記載の発明によれば、上記フロントキャビネットと上記リアキャビネットとが組み付けられた後のガタツキが一層抑制される。
【００３８】
また、請求項４に記載の発明によれば、上記突出部を上記ガイドに沿って摺動させながら同ガイドに挿入することが容易に実現される。上記フロントキャビネットと上記リアキャビネットとが一体的に組み付けられた後には上記突出部は上記ガイドに沿う方向へしか摺動させられない構成とすることが容易に実現される。
【００３９】
また、請求項５に記載の発明によれば、上記突出部が容易に形成される。
【００４０】
また、請求項６に記載の発明によれば、上記フロントキャビネットおよび上記リアキャビネットの上記側面と直交する上面および底面の一方の面は嵌合により接合されることから、上記フロントキャビネットと上記リアキャビネットとが一体的に組み付けられた後には上記突出部は上記ガイドに沿う方向へしか摺動させられないことと相まって、フロントキャビネットとリアキャビネットとの接合強度を確保しつつ、その上面および底面の一方の面におけるネジ締めが抑制される。
【００４１】
また、請求項７に記載の発明によれば、上記フロントキャビネットおよび上記リアキャビネットの上記側面と直交する上面および底面の一方の面が嵌合により容易に接合される。
【００４２】
また、請求項８に記載の発明によれば、上記フロントキャビネットと上記リアキャビネットとが一体的に組み付けられる際に上記上面および底面の他方の面は嵌合ではなくネジ締めにより接合されることから、上記上面および底面の一方に加えて他方の面も嵌合により接合されることに比較して、例えば薄型表示装置のメンテナンス時に上記フロントキャビネットと上記リアキャビネットとを容易に分離することが可能になる。
【００４３】
また、請求項９に記載の発明によれば、フロントキャビネットおよびリアキャビネットを立てた状態で組み付けることが容易になる。
【発明を実施するための最良の形態】
【００４４】
以下、下記の項目に従って本発明の実施形態を図面を参照しつつ説明する。
（１）薄型表示装置（液晶テレビジョン）の説明
（２）液晶テレビジョンの組付け構造
（３）まとめ
【００４５】
（１） 薄型表示装置（液晶テレビジョン）の説明
図１は、本発明が適用される薄型表示装置としての薄型テレビジョンの一例である液晶テレビジョン１０を示す斜視図である。図１において、液晶テレビジョン１０は、モジュール１１と、筺体１２とを主体として構成されている。
【００４６】
モジュール１１は、薄型表示パネルとしての液晶パネル１１ａを収納する凹部を有し、厚みの薄い枠状の構造である。モジュール１１は、液晶パネル１１ａのビューエリアを取り囲むように正面側と側面側とに金属製の枠部が配置されつつ、背面側を板金からなるシールドパネルにて覆われている。また、モジュール１１にはその補強として、液晶パネル１１ａの表示面１１ａ１の背面に柱状のシャーシブラケット１１ｂ、１１ｃがネジ止めされている。
【００４７】
液晶パネル１１ａは、駆動電圧の値によって分子の配列が変化する液晶物質を充填した画素をマトリクス状に配置し、背部にバックライトを備える構造である。このように構成された液晶パネル１１ａは、上記液晶物質が充填された各画素に所定の電圧を印加することによって配列を変化させ、バックライトからの光の透過率を変化させることにより映像を表示する。
【００４８】
筺体１２は、フロントキャビネット１２ａとリアキャビネット１２ｂとから構成されている。フロントキャビネット１２ａは、前面に映像を表示するための開口部を有しており、モジュール１１がこのフロントキャビネット１２ａにネジ止めされた後、フロントキャビネット１２ａにリアキャビネット１２ｂが組み付けられることにより液晶テレビジョン１０を構成する各構成品を収容する。
【００４９】
図２は、液晶テレビジョン１０のブロック構成図である。図２において、液晶テレビジョン１０は、チューナ２１と、フロントエンド２２と、デコーダ２３と、ＯＳＤ回路２４と、音声出力部２５と、画像表示部２６と、リモコン受信部２７と、マイコン２８と、電源回路２９とを備えている。
【００５０】
チューナ２１は、例えばアンテナ３０と接続されており、マイコン２８から入力される制御信号に従って、アンテナ３０で受信されるテレビジョン放送信号の中から１つのチャンネル（例えばユーザによって選局されたチャンネル）に対応するテレビジョン放送信号を取得してフロントエンド２２に出力する。
【００５１】
フロントエンド２２は、例えばマイコン２８から入力される制御信号に従って、チューナ２１から出力されたテレビジョン放送信号を中間周波信号に変換して、デコーダ２３に出力する。
【００５２】
デコーダ２３は、例えばマイコン２８から入力される制御信号に従って、フロントエンド２２から出力された中間周波信号に対して所定のファイル形式（例えばよく知られたＭＰＥＧ−２形式等）に応じた処理を施すことによって、その中間周波信号を音声信号と画像信号とに分離してデコードする。そして、そのデコードした音声信号を音声出力部２５へ出力するとともに、画像信号を画像表示部２６へ出力する。
【００５３】
ＯＳＤ回路２４は、例えばマイコン２８から入力される制御信号に従って、画像表示部２６に所定のＯＳＤ表示（オンスクリーンディスプレイ表示）をさせるためのＯＳＤ表示信号を、デコーダ２３から画像表示部２６へ出力される画像信号に合成する。
【００５４】
音声出力部２５は、例えば音声出力アンプＩＣ（Ｄ−ＡＭＰ）２５ａやスピーカ２５ｂなどを有し、音声出力アンプＩＣ２５ａによりデコーダ２３から入力された音声信号に電力増幅等の所定の処理を施して、その音声信号に基づく音声データに応じた音声をスピーカ２５ｂから出力する。
【００５５】
画像表示部２６は、例えばパネル駆動回路２６ａや液晶パネル１１ａなどを有し、デコーダ２３から出力された画像信号に基づく画像データに応じた画像や、デコーダ２３から出力されてＯＳＤ回路２４によりＯＳＤ表示信号が合成された画像信号に基づく画像データに応じた画像を表示する。
【００５６】
リモコン受信部２７は、例えばリモコン３１から送信された各種信号（制御コマンド）を受信し、それら各種信号に基づく各種データをマイコン２８へ出力する。
【００５７】
リモコン３１は、例えばユーザによって操作され、その操作に応じた信号をリモコン受信部２７へ送信する。より具体的には、リモコン３１は、選局するチャンネルを指定する際に操作されるチャンネルキーやチャンネルアップ／ダウンキーなどを有する。
【００５８】
マイコン２８は、例えばＣＰＵ２８ａやＲＡＭ２８ｂやＲＯＭ２８ｃなどを有し、液晶テレビジョン１０の動作を制御する。例えば、マイコン２８は、リモコン受信部２７で受信した制御コマンドに基づいてチャンネルの切換え、音量のアップ／ダウン等を制御する。
【００５９】
ＣＰＵ２８ａは、ＲＯＭ２８ｃに記憶された液晶テレビジョン１０用の各種処理プログラムに従って、各種の制御動作を行う。
【００６０】
ＲＡＭ２８ｂは、ＣＰＵ２８ａによって実行される処理プログラムなどを展開するためのプログラム格納領域や、入力データや上記処理プログラムが実行される際に生じる処理結果などを格納するデータ格納領域などを備える。
【００６１】
ＲＯＭ２８ｃは、液晶テレビジョン１０で実行可能なシステムプログラム、そのシステムプログラムで実行可能な各種処理プログラム、これら各種処理プログラムを実行する際に使用されるデータ、ＣＰＵ２８ａによって演算処理された各種結果のデータなどを記憶する。なお、プログラムは、コンピュータが読み取り可能なプログラムコードの形でＲＯＭ２８ｃに記憶されている。
【００６２】
電源回路２９は、例えば部分共振電源回路であり、商用ＡＣ電源を複数種類の所定の電圧に変換して液晶テレビジョン１０の各部へ動作電源電圧を出力する。
【００６３】
尚、チューナ２１、フロントエンド２２、デコーダ２３、ＯＳＤ回路２４、音声出力アンプＩＣ（Ｄ−ＡＭＰ）２５ａ、パネル駆動回路２６ａ、リモコン受信部２７、マイコン２８、電源回路２９等を実装する図示しない基板は、例えばモジュール１１の背面側を覆う図示しないシールドパネルに固定される。また、スピーカ２５ｂは、例えばフロントキャビネット１２ａにネジ止めされる。
【００６４】
（２）液晶テレビジョンの組付け構造
図１を参照して液晶テレビジョン１０の組付け構造を詳細に説明する。図１において、リアキャビネット１２ｂの側面１２ｂ１、１２ｂ２には、側面１２ｂ１、１２ｂ２のそれぞれからフロントキャビネット１２ａに向かって所定長だけ延設する複数の基部１３ａ、１３ｂ、１３ｃ、１３ｄが設けられている。また、フロントキャビネット１２ａの側面１２ａ１、１２ａ２内側には、基部１３ａ、１３ｂ、１３ｃ、１３ｄとそれぞれ係合するための係合部１４ａ、１４ｂ、１４ｃ、１４ｄが設けられている。
【００６５】
基部１３ａ、１３ｂ、１３ｃ、１３ｄには、フロントキャビネット１２ａに向かって延設する方向と略直交する外側方向に所定長だけ突出する突出部１３ａ１、１３ｂ１、１３ｃ１、１３ｄ１が液晶パネル１１ａの表示面１１ａ１垂直方向に対して所定の角度且つ所定の長さで形成されている。
【００６６】
係合部１４ａ、１４ｂ、１４ｃ、１４ｄには、フロントキャビネット１２ａにリアキャビネット１２ｂを組み付ける際に突出部１３ａ１、１３ｂ１、１３ｃ１、１３ｄ１を摺動させるためのガイド１４ａ１、１４ｂ１、１４ｃ１、１４ｄ１が上記所定の角度で形成されている。このガイド１４ａ１、１４ｂ１、１４ｃ１、１４ｄ１は、上記所定の角度且つ所定の長さで側面内側１２ａ１、１２ａ２から側面垂直方向内側に向かって所定長だけ突出する平行な２つのガイド用突出部１４ａ２、１４ｂ２、１４ｃ２、１４ｄ２によりそれぞれ形成されている。
【００６７】
上述した液晶パネル１１ａの表示面１１ａ１垂直方向に対する所定の角度は、突出部１３ａ１、１３ｂ１、１３ｃ１、１３ｄ１をガイド１４ａ１、１４ｂ１、１４ｃ１、１４ｄ１に沿って摺動させながらガイド１４ａ１、１４ｂ１、１４ｃ１、１４ｄ１に挿入していく際に、リアキャビネット１２ｂの上面１２ｂ３がフロントキャビネット１２ａの底面１２ａ４側から上面１２ａ３に向かって接近するように付けられている。また、この所定の角度は、フロントキャビネット１２ａにリアキャビネット１２ｂが一体的に組み付けられた後に、フロントキャビネット１２ａとリアキャビネット１２ｂとの相対位置が液晶パネル１１ａの表示面１１ａ１垂直方向へずれることが抑制されるための予め実験的に求められて設定された角度である。
【００６８】
突出部１３ａ１、１３ｂ１、１３ｃ１、１３ｄ１およびガイド１４ａ１、１４ｂ１、１４ｃ１、１４ｄ１の形状は、フロントキャビネット１２ａにリアキャビネット１２ｂが一体的に組み付けられた後のガタツキが抑制されるように、突出部１３ａ１、１３ｂ１、１３ｃ１、１３ｄ１がガイド１４ａ１、１４ｂ１、１４ｃ１、１４ｄ１に挿入される程突出部１３ａ１、１３ｂ１、１３ｃ１、１３ｄ１とガイド１４ａ１、１４ｂ１、１４ｃ１、１４ｄ１との隙間が狭くなるくさび形構造である。
【００６９】
リアキャビネット１２ｂの上面１２ｂ３には、上面１２ｂ３からフロントキャビネット１２ａに向かって所定長だけ延設する嵌合基部１５が設けられている。この嵌合基部１５には、嵌合部として長方形状の孔である複数の嵌合孔部１５ａが形成されている。また、フロントキャビネット１２ａの上面１２ａ３内側には、複数の嵌合孔部１５ａとそれぞれ嵌合するための被嵌合部として先端くさび形の直方体状の突起である複数の嵌合爪部１６がそれぞれ形成されている。この嵌合孔部１５ａおよび嵌合爪部１６は、フロントキャビネット１２ａにリアキャビネット１２ｂが一体的に組み付けられる際に上面１２ａ３、１２ｂ３におけるネジ締めを無くすために設けられている。
【００７０】
フロントキャビネット１２ａにリアキャビネット１２ｂが一体的に組み付けられる際に底面においてネジ締めするために、フロントキャビネット１２ａの底面１２ａ４には、複数のネジ孔１７が形成されると共に、リアキャビネット１２ｂの底面１２ｂ４には、ネジ孔１７に対応する複数のネジ挿通孔１８がそれぞれ形成されている。底面１２ａ４、１２ｂ４において上面１２ａ３、１２ｂ３と同様に嵌合により接合する構造とすると、フロントキャビネット１２ａとリアキャビネット１２ｂとの分離が非常に困難になることから、例えば液晶テレビジョン１０のメンテナンス時にフロントキャビネット１２ａとリアキャビネット１２ｂとを容易に分離できるように、底面１２ａ４、１２ｂ４のみネジ締めにより接合する構造とするのである。
【００７１】
図３は、上述のように構成された筐体１２の組立動作を説明する概略図である。尚、ここでは、片側の側面１２ａ１、１２ｂ１にて組立動作を説明する。
【００７２】
先ず、（ａ）に示すようにフロントキャビネット１２ａとリアキャビネット１２ｂとを分離した状態から、（ｂ）に示すようにフロントキャビネット１２ａにリアキャビネット１２ｂを接近させて突出部１３ａ１、１３ｂ１の先端がガイド１４ａ１、１４ｂ１の挿入口先端に接触する状態とする。
【００７３】
続いて、（ｂ）〜（ｃ）に示すように突出部１３ａ１、１３ｂ１をガイド１４ａ１、１４ｂ１に沿って摺動させながらそのガイド１４ａ１、１４ｂ１に挿入することによりフロントキャビネット１２ａにリアキャビネット１２ｂを更に接近させた状態とする。
【００７４】
続いて、（ｄ）に示すように突出部１３ａ１、１３ｂ１をガイド１４ａ１、１４ｂ１に更に挿入すると共に、上面１２ａ３、１２ｂ３において嵌合孔部１５ａと嵌合爪部１６とを嵌合して、フロントキャビネット１２ａにリアキャビネット１２ｂを一体的に組み合わせる。フロントキャビネット１２ａにリアキャビネット１２ｂを一体的に組み合わせ後には、突出部１３ａ１、１３ｂ１はガイド１４ａ１、１４ｂ１に沿う方向へしか摺動させられないことから、フロントキャビネット１２ａとリアキャビネット１２ｂとの相対位置は液晶パネル１１ａの表示面１１ａ１垂直方向（（ｄ）に示した矢印方向）へずれることが無い。従って、底面１２ａ４、１２ｂ４のみネジ締めをすれば側面１２ａ１、１２ｂ１および上面１２ａ３、１２ｂ３においてネジ締めをしなくとも、フロントキャビネット１２ａとリアキャビネット１２ｂとが離れることはない。そこで、この状態において、リアキャビネット１２ｂのネジ挿通孔１８に固定ネジ１９を挿通し、フロントキャビネット１２ａのネジ孔１７に螺入して底面１２ａ４、１２ｂ４をネジ締めにより接合することで、最終的に筐体１２を組み立てる。
【００７５】
（３）まとめ
上述のように、本実施例によれば、フロントキャビネット１２ａの側面１２ａ１、１２ａ２およびリアキャビネット１２ｂの側面１２ｂ１、１２ｂ２においてはネジ締めに替えて突出部１３ａ１、１３ｂ１、１３ｃ１、１３ｄ１をガイド１４ａ１、１４ｂ１、１４ｃ１、１４ｄ１に沿って摺動させながらガイド１４ａ１、１４ｂ１、１４ｃ１、１４ｄ１に挿入することによりフロントキャビネット１２ａとリアキャビネット１２ｂとが一体的に組み付けられ、更に組み付けられた後には突出部１３ａ１、１３ｂ１、１３ｃ１、１３ｄ１はガイド１４ａ１、１４ｂ１、１４ｃ１、１４ｄ１に沿う方向へしか摺動させられないことから、フロントキャビネット１２ａとリアキャビネット１２ｂとの接合強度を確保しつつ、液晶テレビジョン１０の組立て時間や部品点数を極力抑えて組立作業の高効率化（コストダウン）を図ることができる。
【００７６】
また、本実施例によれば、突出部１３ａ１、１３ｂ１、１３ｃ１、１３ｄ１およびガイド１４ａ１、１４ｂ１、１４ｃ１、１４ｄ１の形状はくさび形構造とされているので、フロントキャビネット１２ａとリアキャビネット１２ｂとが組み付けられた後のガタツキが一層抑制される。
【００７７】
また、本実施例によれば、基部１３ａ、１３ｂ、１３ｃ、１３ｄには、フロントキャビネット１２ａに向かって延設する方向と略直交する外側方向に所定長だけ突出する突出部１３ａ１、１３ｂ１、１３ｃ１、１３ｄ１が液晶パネル１１ａの表示面１１ａ１垂直方向に対して所定の角度且つ所定の長さで形成されていると共に、係合部１４ａ、１４ｂ、１４ｃ、１４ｄには、ガイド１４ａ１、１４ｂ１、１４ｃ１、１４ｄ１が上記所定の角度且つ所定の長さで側面内側１２ａ１、１２ａ２から側面垂直方向内側に向かって所定長だけ突出する平行な２つのガイド用突出部１４ａ２、１４ｂ２、１４ｃ２、１４ｄ２により上記所定の角度でそれぞれ形成されているので、突出部１３ａ１、１３ｂ１、１３ｃ１、１３ｄ１をガイド１４ａ１、１４ｂ１、１４ｃ１、１４ｄ１に沿って摺動させながら同ガイド１４ａ１、１４ｂ１、１４ｃ１、１４ｄ１に挿入することが容易に実現される。また、フロントキャビネット１２ａとリアキャビネット１２ｂとが一体的に組み付けられた後には突出部１３ａ１、１３ｂ１、１３ｃ１、１３ｄ１がガイド１４ａ１、１４ｂ１、１４ｃ１、１４ｄ１に沿う方向へしか摺動させられない構成とすることが容易に実現される。
【００７８】
また、本実施例によれば、フロントキャビネット１２ａおよびリアキャビネット１２ｂの上面は嵌合により接合されることから、フロントキャビネット１２ａとリアキャビネット１２ｂとが一体的に組み付けられた後には突出部１３ａ１、１３ｂ１、１３ｃ１、１３ｄ１はガイド１４ａ１、１４ｂ１、１４ｃ１、１４ｄ１に沿う方向へしか摺動させられないことと相まって、フロントキャビネット１２ａとリアキャビネット１２ｂとの接合強度を確保しつつ、その上面におけるネジ締めが抑制される。
【００７９】
また、本実施例によれば、リアキャビネット１２ｂの上面１２ｂ３からフロントキャビネット１２ａに向かって所定長だけ延設するようにリアキャビネット１２ｂの上面１２ｂ３に設けられた嵌合基部１５には、長方形状の孔である複数の嵌合孔部１５ａが形成され、フロントキャビネット１２ａの上面１２ａ３内側には、複数の嵌合孔部１５ａとそれぞれ嵌合するための先端くさび形の直方体状の突起である複数の嵌合爪部１６がそれぞれ形成されているので、フロントキャビネット１２ａおよびリアキャビネット１２ｂが一体的に組み付けられる際に上面１２ａ３、１２ｂ３が嵌合により容易に接合される。
【００８０】
また、本実施例によれば、フロントキャビネット１２ａとリアキャビネット１２ｂとが一体的に組み付けられる際に底面は嵌合ではなくネジ締めにより接合されることから、上面に加えて底面も嵌合により接合されることに比較して、例えば液晶テレビジョン１０のメンテナンス時にフロントキャビネット１２ａとリアキャビネット１２ｂとを容易に分離することが可能になる。
【００８１】
以上、本発明の実施例を図面に基づいて詳細に説明したが、本発明はその他の態様においても適用される。
【００８２】
例えば、前述の実施例では、フロントキャビネット１２ａおよびリアキャビネット１２ｂの上面が嵌合により接合されると共に底面がネジ締めにより接合されたが、反対に、フロントキャビネット１２ａおよびリアキャビネット１２ｂの底面が嵌合により接合されると共に上面がネジ締めにより接合されても良い。この場合には、上述した液晶パネル１１ａの表示面１１ａ１垂直方向に対する所定の角度は、突出部１３ａ１、１３ｂ１、１３ｃ１、１３ｄ１をガイド１４ａ１、１４ｂ１、１４ｃ１、１４ｄ１に沿って摺動させながらガイド１４ａ１、１４ｂ１、１４ｃ１、１４ｄ１に挿入していく際に、リアキャビネット１２ｂの底面１２ｂ４がフロントキャビネット１２ａの上面１２ａ３側から底面１２ａ４に向かって接近するように付けられる。このようにすれば、フロントキャビネット１２ａおよびリアキャビネット１２ｂを立てた状態で組み付けることが容易になる。
【００８３】
また、前述の実施例では、基部１３ａ、１３ｂ、１３ｃ、１３ｄに突出部１３ａ１、１３ｂ１、１３ｃ１、１３ｄ１が形成されると共に、係合部１４ａ、１４ｂ、１４ｃ、１４ｄにガイド１４ａ１、１４ｂ１、１４ｃ１、１４ｄ１が形成されていたが、基部１３ａ、１３ｂ、１３ｃ、１３ｄにガイドが形成されると共に、係合部１４ａ、１４ｂ、１４ｃ、１４ｄに突出部が形成されても良い。このようにしても同様の効果が得られる。
【００８４】
また、突出部１３ａ１、１３ｂ１、１３ｃ１、１３ｄ１は、例えば柱状等の突起であっても良い。このようにすれば、突出部１３ａ１、１３ｂ１、１３ｃ１、１３ｄ１が容易に形成される。
【００８５】
なお、上述したのはあくまでも一実施形態であり、本発明は当業者の知識に基づいて種々の変更、改良を加えた態様で実施することができる。
【図面の簡単な説明】
【００８６】
【図１】本発明が適用される液晶テレビジョンの一例を示す斜視図である。
【図２】液晶テレビジョンのブロック構成図である。
【図３】筐体の組立動作を説明する概略図である。
【図４】薄型テレビジョンの従来例を示す斜視図である。
【符号の説明】
【００８７】
１０：液晶テレビジョン（薄型表示装置、薄型テレビジョン）
１１ａ：液晶パネル（薄型表示パネル）
１２：筐体
１２ａ：フロントキャビネット
１２ａ１、１２ａ２：フロントキャビネットの側面
１２ａ３：フロントキャビネットの上面
１２ａ４：フロントキャビネットの底面
１２ｂ：リアキャビネット
１２ｂ１、１２ｂ２：リアキャビネットの側面
１２ｂ３：リアキャビネットの上面
１２ｂ４：リアキャビネットの底面
１３ａ、１３ｂ、１３ｃ、１３ｄ：基部
１３ａ１、１３ｂ１、１３ｃ１、１３ｄ１：突出部
１４ａ、１４ｂ、１４ｃ、１４ｄ：係合部
１４ａ１、１４ｂ１、１４ｃ１、１４ｄ１：ガイド
１４ａ２、１４ｂ２、１４ｃ２、１４ｄ２：ガイド用突出部
１５：嵌合基部
１５ａ：嵌合孔部（嵌合部）
１６：嵌合爪部（被嵌合部）
１７：ネジ孔
１８：ネジ挿通孔
１９：固定ネジ
【図１】
2008258750.tif 000003
【図２】
2008258750.tif 000004
【図３】
2008258750.tif 000005
【図４】
2008258750.tif 000006